(57)【特許請求の範囲】
【請求項１】
光源と、
前記光源の上方に位置する第１反射面と、
前記第１反射面の前端近傍に位置する第２反射面と、
前記第２反射面の下方に位置する第３反射面と、
前記第３反射面の前方に位置するレンズと、
前記光源と前記レンズとの間に位置するシェードとを備え、
前記第１反射面は、前記光源の位置に第１焦点を有し、かつ、前記シェードの前端に第２焦点を有する回転楕円面を基調とする回転楕円系反射面であり、
前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、
前記第３反射面は、前記第２焦点近傍の位置から前方斜め下方に向かって傾斜して延びる反射面であり、
前記レンズは、前記第２焦点を焦点とし、前記レンズ前面の光出射面の下側部分の少なくとも一部が、前記第２焦点を通過した光を平行光とする曲率よりも小さい曲率に形成された形状を有し、かつ、前記レンズ前面の光出射面の下部近傍に前記第３焦点の仮想焦点が位置する投影型レンズである、車両用灯具。
【請求項２】
光源と、
前記光源の上方に位置する第１反射面と、
前記第１反射面の前端近傍に位置する第２反射面と、
前記第２反射面の下方に位置する第３反射面と、
前記第３反射面の前方に位置するレンズと、
前記光源と前記レンズとの間に位置するシェードとを備え、
前記第１反射面は、前記光源の位置に第１焦点を有し、かつ、前記シェードの前端に第２焦点を有する回転楕円面を基調とする回転楕円系反射面であり、
前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、
前記第３反射面は、前記第２焦点近傍の位置から前方斜め下方に向かって傾斜して延びる反射面であり、
前記レンズは、前記第２焦点を焦点とし、前記レンズ後面の光入射面の下側部分の少なくとも一部が、前記第２焦点を通過した光を平行光とする曲率よりも小さい曲率に形成された形状を有し、かつ、前記レンズ後面の光入射面の下部近傍に前記第３焦点の仮想焦点が位置する投影型レンズである、車両用灯具。
【請求項３】
光源と、
前記光源の上方に位置する第１反射面と、
前記第１反射面の前端近傍に位置する第２反射面と、
前記第２反射面の下方に位置する第３反射面と、
前記第３反射面の前方に位置するレンズと、
前記光源と前記レンズとの間に位置するシェードとを備え、
前記第１反射面は、前記光源の位置に第１焦点を有し、かつ、前記シェードの前端に第２焦点を有する回転楕円面を基調とする回転楕円系反射面であり、
前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、
前記第３反射面は、前記第２焦点近傍の位置から前方斜め下方に向かって傾斜して延びる反射面であり、
前記レンズは、前記第２焦点を焦点とし、前記レンズ前面の光出射面の上側部分の少なくとも一部が、前記第２焦点を通過した光を平行光とする曲率よりも大きい曲率に形成された形状を有し、かつ、前記レンズ前面の光出射面の上部近傍に前記第３焦点の仮想焦点が位置する投影型レンズである、車両用灯具。
【請求項４】
光源と、
前記光源の上方に位置する第１反射面と、
前記第１反射面の前端近傍に位置する第２反射面と、
前記第２反射面の下方に位置する第３反射面と、
前記第３反射面の前方に位置するレンズと、
前記光源と前記レンズとの間に位置するシェードとを備え、
前記第１反射面は、前記光源の位置に第１焦点を有し、かつ、前記シェードの前端に第２焦点を有する回転楕円面を基調とする回転楕円系反射面であり、
前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、
前記第３反射面は、前記第２焦点近傍の位置から前方斜め下方に向かって傾斜して延びる反射面であり、
前記レンズは、前記第２焦点を焦点とし、前記レンズ後面の光入射面の上側部分の少なくとも一部が、前記第２焦点を通過した光を平行光とする曲率よりも大きい曲率に形成された形状を有し、かつ、前記レンズ後面の光入射面の上部近傍に前記第３焦点の仮想焦点が位置する投影型レンズである、車両用灯具。
【請求項５】
前記第２反射面の前端近傍に第４反射面を有し、
前記第４反射面は前記第２反射面の前端近傍に対して内側に湾曲傾斜し、前記光源からの光を前記第３焦点より後方へ反射するようにした反射面である、請求項１から請求項４のいずれか１項に記載の車両用灯具。
【請求項６】
前記光源は、半導体発光素子である請求項１から請求項５のいずれか１項に記載の車両用灯具。
【発明の詳細な説明】
【技術分野】
【０００１】
本発明は、車両用灯具に関するものであり、詳しくは、少なくともすれ違いビーム用配光パターン（主配光パターン）とオーバーヘッドサイン配光パターンの夫々の配光パターンの形成に寄与する光を出射する車両用灯具に関する。
【背景技術】
【０００２】
従来、出射光によってすれ違いビーム（ロービーム）用配光パターンとオーバーヘッドサイン配光パターンとを形成する車両用灯具としては、例えば、特許文献１に開示されたものがある。
【０００３】
開示された車両用灯具（車両用灯具ユニット）は、ロービーム用配光パターンを形成するように構成されたプロジェクタ型の灯具ユニットであり、その具体的な構成は図１１（ａ）にあるように、入光面８０ａを励起光源８１の前方近傍に配置すると共に出光面８０ｂを波長変換部材８２に密着配置あるいは近接配置してなるライトガイド８０の出光面８０ｂ側の上方に、波長変換部材８２を覆うようにメイン反射面８３及び第１サブ反射面８４が配置され、メイン反射面８３及び第１サブ反射面８４の前方斜め下方に第２サブ反射面８５、前方に投影レンズ８６が夫々配置されている。
【０００４】
そのうち、メイン反射面８３は、車両後方側（投影レンズ８６と反対側）に延びる中心軸Ｘａに対して左右夫々１２０°の範囲から上方に延びる沿直方向に楕円の形状を有しており、第１サブ反射面８４は、メイン反射面８３の先端付近から投影レンズ８６に向かって延びる回転楕円系の形状を有しており、第２サブ反射面８５は、水平面に対して車両前方側（投影レンズ８６側）に向かって下側に傾斜する平面形状を有している。
【０００５】
そこで、励起光源８１から発せられてライトガイド８０の入光面８０ａを介してライトガイド８０に入射した光は、ライトガイド８０内を導光されて出光面８０ｂを介して波長変換部材８２に向けて出射される。そして、波長変換部材８２からは、励起光源８１からの出射光により励起されて波長変換された波長変換光と励起光源８１からの出射光がそのまま透過した直接光との混合光が出射され、メイン反射面８３、第１サブ反射面８４及び第２サブ反射面８５で所定の方向に向けて反射されて夫々の反射光が前方に位置する投影レンズ８６を透過して外部に照射される。
【０００６】
上記構成の車両用灯具ユニット９０からの照射光によって車両前方に想定した仮想鉛直スクリーン上に投影される配光パターンは、図１１（ｂ）にあるように、メイン反射面８３の、中心軸Ｘａを含む水平面近傍の領域８３ｂの反射光によって部分配光パターン（高光度領域）Ｐ１が形成され、メイン反射面８３の領域８３ｂ以外の部分の反射光によって部分配光パターンＰ２が形成され、部分配光パターンＰ１と部分配光パターンＰ２との合成配光パターンによって水平基準線（Ｈ）の下側に位置するロービーム用配光パターンが形成される。
【０００７】
また、第１サブ反射面８４での反射後に第２サブ反射面８５で反射された反射光によって水平基準線（Ｈ）の上方に位置する、道路標識や道路案内板等の頭上標識が設けられたオーバーヘッドサイン領域Ａを照らすオーバーヘッドサイン配光パターンＰ３が形成される。
【先行技術文献】
【特許文献】
【０００８】
【特許文献１】特許第５８１２２８３号
【発明の概要】
【発明が解決しようとする課題】
【０００９】
ところで、上記構成からなる車両用灯具ユニット９０は、部分配光パターンＰ１と部分配光パターンＰ２との合成配光パターンによって形成されたロービーム用配光パターンと、オーバーヘッドサイン配光パターンＰ３との間に照射光が向かわない（照らさない）暗い領域（暗部領域）Ｂが生じる。そのため、夜間走行時の運転者の視認性が低下して運転に支障をきたす恐れがある。
【００１０】
そこで、本発明は上記問題に鑑みて創案なされたもので、その目的とするところは、少なくともすれ違いビーム用配光パターン（主配光パターン）とオーバーヘッドサイン配光パターンの夫々の配光パターンを互いに部分的に重ね繋いで形成することにより、夜間走行時の運転者の視認性が良好な車両用灯具を実現することにある。
【課題を解決するための手段】
【００１１】
上記課題を解決するために、本発明の請求項１に記載された発明は、光源と、前記光源の上方に位置する第１反射面と、前記第１反射面の前端近傍に位置する第２反射面と、前記第２反射面の下方に位置する第３反射面と、前記第３反射面の前方に位置するレンズと、  前記光源と前記レンズとの間に位置するシェードとを備え、前記第１反射面は、前記光源の位置に第１焦点を有し、かつ、前記シェードの前端に第２焦点を有する回転楕円面を基調とする回転楕円系反射面であり、前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、前記第３反射面は、前記第２焦点近傍の位置から前方斜め下方に向かって傾斜して延びる反射面であり、前記レンズは、前記第２焦点を焦点とし、前記レンズ前面の光出射面の下側部分の少なくとも一部が、前記第２焦点を通過した光を平行光とする曲率よりも小さい曲率に形成された形状を有し、かつ、前記レンズ前面の光出射面の下部近傍に前記第３焦点の仮想焦点が位置する投影型レンズであることを特徴とするものである。
【００１２】
また、本発明の請求項２に記載された発明は、光源と、前記光源の上方に位置する第１反射面と、前記第１反射面の前端近傍に位置する第２反射面と、前記第２反射面の下方に位置する第３反射面と、前記第３反射面の前方に位置するレンズと、前記光源と前記レンズとの間に位置するシェードとを備え、前記第１反射面は、前記光源の位置に第１焦点を有し、かつ、前記シェードの前端に第２焦点を有する回転楕円面を基調とする回転楕円系反射面であり、前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、前記第３反射面は、前記第２焦点近傍の位置から前方斜め下方に向かって傾斜して延びる反射面であり、前記レンズは、前記第２焦点を焦点とし、前記レンズ後面の光入射面の下側部分の少なくとも一部が、前記第２焦点を通過した光を平行光とする曲率よりも小さい曲率に形成された形状を有し、かつ、前記レンズ後面の光入射面の下部近傍に前記第３焦点の仮想焦点が位置する投影型レンズであることを特徴とするものである。
【００１３】
また、本発明の請求項３に記載された発明は、光源と、前記光源の上方に位置する第１反射面と、前記第１反射面の前端近傍に位置する第２反射面と、前記第２反射面の下方に位置する第３反射面と、前記第３反射面の前方に位置するレンズと、前記光源と前記レンズとの間に位置するシェードとを備え、前記第１反射面は、前記光源の位置に第１焦点を有し、かつ、前記シェードの前端に第２焦点を有する回転楕円面を基調とする回転楕円系反射面であり、前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、前記第３反射面は、前記第２焦点近傍の位置から前方斜め下方に向かって傾斜して延びる反射面であり、前記レンズは、前記第２焦点を焦点とし、前記レンズ前面の光出射面の上側部分の少なくとも一部が、前記第２焦点を通過した光を平行光とする曲率よりも大きい曲率に形成された形状を有し、かつ、前記レンズ前面の光出射面の上部近傍に前記第３焦点の仮想焦点が位置する投影型レンズであることを特徴とするものである。
【００１４】
また、本発明の請求項４に記載された発明は、光源と、前記光源の上方に位置する第１反射面と、前記第１反射面の前端近傍に位置する第２反射面と、前記第２反射面の下方に位置する第３反射面と、前記第３反射面の前方に位置するレンズと、前記光源と前記レンズとの間に位置するシェードとを備え、前記第１反射面は、前記光源の位置に第１焦点を有し、かつ、前記シェードの前端に第２焦点を有する回転楕円面を基調とする回転楕円系反射面であり、前記第２反射面は、前記第１焦点を一方の焦点とし、かつ、前記第２反射面から前記第３反射面を通る略延長線上に他方の焦点となる第３焦点を有する回転楕円面を基調とする回転楕円系反射面を含み、前記第３反射面は、前記第２焦点近傍の位置から前方斜め下方に向かって傾斜して延びる反射面であり、前記レンズは、前記第２焦点を焦点とし、前記レンズ後面の光入射面の上側部分の少なくとも一部が、前記第２焦点を通過した光を平行光とする曲率よりも大きい曲率に形成された形状を有し、かつ、前記レンズ後面の光入射面の上部近傍に前記第３焦点の仮想焦点が位置する投影型レンズであることを特徴とするものである。
【００１５】
また、本発明の請求項５に記載された発明は、請求項１から請求項４のいずれか１項において、前記第２反射面の前端近傍に第４反射面を有し、前記第４反射面は前記第２反射面の前端近傍に対して内側に湾曲傾斜し、前記光源からの光を前記第３焦点より後方へ反射するようにした反射面であることを特徴とするものである。
【００１６】
また、本発明の請求項６に記載された発明は、請求項１から請求項５のいずれか１項において、前記光源は、半導体発光素子であることを特徴とするものである。
【発明の効果】
【００１７】
本発明によれば、第１反射面の反射光によって主配光パターンを形成し、第２反射面で反射して更に第３反射面で反射した反射光によって記主配光パターンの上端部に重なって繋がるオーバーヘッドサイン配光パターンを形成するようにした。
【００１８】
これにより、主配光パターンとオーバーヘッドサイン配光パターンとの間に暗部が存在せず、夜間走行時の運転者の前方及び前方斜め上方の視認性が高まって車両前方の障害物及び道路標識や道路案内板等の頭上標識を容易に認識することができる。
【図面の簡単な説明】
【００１９】
【図１】実施形態の車両用灯具の要部の概略分解斜視図である。
【図２】図１の車両搭載時の車両前後方向に沿う縦断面図である。
【図３】実施形態の車両用灯具の光学系を構成する面の配置説明図である。
【図４】レンズ下端部の光出射面の部分拡大説明図である。
【図５】実施形態の車両用灯具の光路図である。
【図６】実施形態の車両用灯具で形成される配光パターンの説明図である。
【図７】同じく、実施形態の車両用灯具で形成される配光パターンの説明図である。
【図８】従来の配光パターンの説明図である。
【図９】レンズ上端部の光出射面の部分拡大説明図である。
【図１０】実施形態の車両用灯具の一部を変更した説明図である。
【図１１】従来例の説明図である。
【発明を実施するための形態】
【００２０】
以下、この発明の好適な実施形態を図１〜図１０を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２１】
図１は実施形態の車両用灯具の要部の概略分解斜視図、図２は図１の車両搭載時の車両前後方向に沿う縦断面図、図３は実施形態の車両用灯具の光学系を構成する面の配置説明図、図４はレンズ下端部の光出射面の部分拡大説明図、図５は実施形態の車両用灯具の光路図、図６及び図７は実施形態の車両用灯具で形成される配光パターンの説明図である。
【００２２】
本発明の車両用灯具（以下、「灯具」と略称する）１は、光源２、第１リフレクタ１０、第２リフレクタ２０、第４リフレクタ３０及び第３リフレクタ４０の４つのリフレクタと、シェード５０及びレンズ６０によって光学系が構成されてなる、所謂プロジェクタ型の灯具である。
【００２３】
上記光学系を構成する各構成部材の概略位置関係は、光源２の上方に第１リフレクタ１０が位置し、第１リフレクタの前端近傍に第２リフレクタ２０及び第４リフレクタ３０が位置し、第２リフレクタ２０及び第４リフレクタ３０の下方にシェード５０及び第３リフレクタ４０が位置し、シェード５０及び第３リフレクタ４０の前方にレンズ６０が位置している。
【００２４】
光源２は、灯具を車両に搭載した状態において、車両の前後方向に延びる中心軸Ｚのほぼ軸上に光出射面を上側に向けて配置されている。光源２は具体的には、例えばＬＥＤ等の半導体発光素子が用いられる。また、レーザ光源からのレーザ光を蛍光体に照射して混色光を得るものであっても良い。この場合は、光源２の位置に蛍光体が配置される。
【００２５】
第１リフレクタ１０は、光源２（光源２の光出射面）を上方から覆うように中心軸Ｚを含む水平面の上側に配置されている。また、その内面には、中心軸Ｚを長軸とする回転楕円面を基調とした回転楕円系反射面（以下、「第１反射面」と呼称する）１１を備えている。この第１反射面１１の第１の焦点Ｆ１は光源２に位置し、第２の焦点Ｆ２は中心軸Ｚ上であって焦点Ｆ１より前方側に位置する。
【００２６】
これにより、焦点Ｆ１の位置に位置する光源２から第１リフレクタ１０の第１反射面１１に向けて出射された光は、第１反射面１１で焦点Ｆ２の位置及びその近傍に向けて反射され、その反射光が焦点Ｆ２の位置及びその近傍を通って前方から前方斜め下方の範囲に向けて照射される。
【００２７】
第２リフレクタ２０は第１リフレクタ１０の前端近傍に位置し、内面に、光源２の位置に焦点Ｆ１を有し焦点Ｆ２の下方斜め前方に焦点Ｆ３を有すると共に、焦点Ｆ１及び焦点Ｆ３の２つの焦点を通る直線Ｓを長軸とする回転楕円面を基調とした回転楕円系反射面（以下、「第２反射面」と呼称する）２１を備えている。
【００２８】
これにより、焦点Ｆ１の位置に位置する光源２から第２リフレクタ２０の第２反射面２１に向けて出射された光は、第２反射面２１で下方斜め前方に位置する焦点Ｆ３の位置及びその近傍に向けて反射される。
【００２９】
第４リフレクタ３０は、第２リフレクタ２０の前端部から前方に向かって斜め下方に延びる自由曲面による湾曲形状を有し、内面に、第２反射面２１の前端から前方に向かって第２反射面２１の前端近傍に対して内側に向かって湾曲する内側に凹の湾曲反射面（以下「第４反射面」と呼称する）３１を備えている。
【００３０】
これにより、焦点Ｆ１の位置に位置する光源２から第４リフレクタ３０の第４反射面３１に向けて出射された光は、第４反射面３１で焦点Ｆ３の後方側に向けて反射される。
【００３１】
第３リフレクタ４０は、側面視において、焦点Ｆ２近傍から前方斜め下方に向かって傾斜して延び、平面視において、後端側が焦点Ｆ２近傍を通り両側方側に向かって前方に湾曲する湾曲状を呈しており、上面に平面湾曲反射面（以下、「第３反射面」と呼称する）４１を備えている。第３反射面４１の傾斜角度によって第３反射面４１による反射光が向かう上下方向が設定される。
【００３２】
第３リフレクタ４０は、第２リフレクタ２０及び第４リフレクタ３０と焦点Ｆ３との間（線分上）に位置し、第３反射面４１によって、光源２から出射して第２リフレクタ２０の第２反射面２１で焦点Ｆ３に向けて反射された反射光を前方斜め下方に向けて反射すると共に、光源２から出射して第４リフレクタ３０の第４反射面３１で焦点Ｆ３の後方側に向けて反射された反射光を前方に向けて反射する。
【００３３】
シェード５０は、側面視において、焦点Ｆ２から後方に向ってほぼ水平に延びる平面状を呈し、光源２から出射して第１リフレクタ１０の第１反射面１１で焦点Ｆ２の位置及びその近傍に向けて反射された反射光の一部を遮光して灯具１から不要な光が出射しないように部分的に光路を遮っている。
【００３４】
また、平面視においては、第１リフレクタ１０の第１反射面１１による反射光のうちシェード５０の前端部近傍を通る光によってすれ違い配光パターンのカットオフラインが形成されるため、前端部の形状が所望のカットオフラインの形状に対応するように設定されている。
【００３５】
なお、場合によっては、シェード５０の上面に反射面を設け、第１リフレクタ１０の第１反射面１１による反射光の一部をシェード５０の反射面で反射して、前方斜め上方に向かう反射光を灯具１の出射光として有効に利用することも可能である。
【００３６】
レンズ６０は、後面の光入射面６１及び前面の光出射面６２の夫々が外側に凸の湾曲面を有する両凸レンズからなる投影型のレンズであり、光入射面６１側の焦点Ｆ２の位置を焦点位置として焦点Ｆ２及びその近傍を通って光入射面６１を介してレンズ６０内に入射した光をほぼ平行光として光出射面６２から前方方向に向けて出射する。
【００３７】
また、レンズ６０の光出射面６２の下端部近傍に、第２リフレクタ２０の第２反射面２１で焦点Ｆ３に向けて反射されて第３リフレクタ４０の第３反射面４１で反射された反射光が集光する、焦点Ｆ３の仮想焦点Ｆ３´を有している。
【００３８】
この場合、図４に示すように、レンズ６０の光出射面６２の下端部に、その上側の光出射面６２の湾曲面の曲率よりも小さい曲率に設定されて前側にせり出した形状の小曲率面６２ｂからなる部分（小曲率部６２ａ）を有している。これにより、光源２から発せられてリフレクタ１０の第１反射面１１で前方から前方斜め下方の範囲に向けて照射された光がレンズ６０内を透過し光出射面６２の下側領域から出射されときの出射角が小さくなり、その分出射光を下側に下げるようにしている。
【００３９】
つまり、第１反射面１１でレンズ６０の下部に向けて反射された反射光は、レンズ６０の光入射面６１の到達点においてその位置の法線に対する入射光の角度（入射角）がレンズ６０中央部よりも大きく、同様に、レンズ６０に入射してレンズ６０内の下側を透過して光出射面６２に到達した光も光出射面６２の到達点においその位置の法線に対する出射光の角度（入射角）が大きい。そのため、レンズ６０の下部からの出射光はレンズ６０の中央部からの出射光よりも屈折角が大きく色収差の影響も大きくなり、光の色分離の発生が顕著になる。
【００４０】
特に、すれ違い配光パターンのカットオフラインを色分離した青色光が形成すると白色からはずれ法規不適合となるため、レンズ６０からの出射光を下方に下げることにより色収差の発生を抑制すると共に、色収差の大きい光を下方に向けることにより、主にレンズ６０中央部を透過した色収差の影響の少ない光によってカットオフラインを形成し色収差の影響の少ない配光パターンを形成するものである。
【００４１】
同時に、焦点Ｆ３´を通る光も下方に向けるために、焦点Ｆ３´をレンズ６０の光出射面６２の小曲率部６２ａの小曲率面６２ｂ近傍位置に設定した。
【００４２】
そこで、図５に示すように、一方の焦点Ｆ１の位置に位置する光源２から放射状に出射して光源２の上方に該光源２を覆うように位置する第１リフレクタ１０の回転楕円系反射面からなる第1反射面１１に向かう光は、第１反射面１１で前方から前方斜め下方の範囲に向けて反射されてその反射光が他方の焦点Ｆ２位置及びその近傍を通ってレンズ６０の光入射面６１の下側の面に照射される。
【００４３】
そして、レンズ６０の光入射面６１の下面に照射された光は、光入射面６１で屈折されてレンズ６０に入射し、レンズ６０内を透過し光出射面６２で再度屈折されて外部に出射される。
【００４４】
特に、レンズ６０内を光出射面６２の下端部の面（小曲率面６２ｂ）に向けて透過した光は、小曲率面６２ｂからの出射時に、その上側の光出射面６２と同じ曲率の面から出射する光に比べて小さい屈折角で外部に出射される。
【００４５】
そのため、小曲率面６２ｂから外部に出射される、最も色収差の影響が大きい光が小曲面６２ｂによって下側に下げられてすれ違い配光パターンのカットオフラインの下側の部分を形成することになり、色収差の影響の少ない主配光パターンを形成することができる。
【００４６】
つまり、光源２から第１リフレクタ１０の第1反射面１１に向けて出射された光は、第１反射面１１で反射されてその反射光がレンズ６０内の下側を透過してその出射光が図６及び図７に示すＡの、色収差の影響が抑制されたすれ違い配光パターン（主配光パターン）を形成する。
【００４７】
次に、一方の焦点Ｆ１の位置に位置する光源２から放射状に出射して光源２の前方斜め上方（第１リフレクタ１０の前端近傍）に位置する第２リフレクタ２０の回転楕円系反射面からなる第２反射面２１に向かう光は、第２反射面２１で他方の焦点Ｆ３に向けて反射されてその反射光が第３リフレクタ４０の第３反射面４１でレンズ６０の光入射面６１の下側の面に向けて反射される。
【００４８】
そして、レンズ６０の光入射面６１の下面に照射された光は、光入射面６１で屈折されレンズ６０に入射し、レンズ６０内を、光出射面６２の下端部の面（小曲率面６２ｂ）近傍に位置する、焦点Ｆ３の仮想焦点Ｆ３´に向けて透過し、仮想焦点Ｆ３´位置で一旦集光されてその後拡散光が光出射面６２の小曲率面６２ｂで再度屈折されて外部に出射される。
【００４９】
この場合も上記主配光パターンを形成する光と同様に、小曲率面６２ｂからの出射時に、その上側の光出射面６２と同じ曲率の面から出射する光に比べて小さい屈折角で外部に出射される。そのため、図８（従来の配光パターン）にあるような、主配光パターンＡとオーバーヘッドサイン配光パターンＢとが分離してその間に暗部領域７０を有する従来の配光パターンに対して、出射光が下側に下げられて配光パターンを従来の位置から下方に形成する。
【００５０】
つまり、光源２から第２リフレクタ２０の第２反射面２１に向けて出射された光は、第２反射面２１で反射されてその反射光が第３リフレクタ４０の第３反射面４１でレンズ６０の下側に向けて反射され、その反射光がレンズの下側を透過してその出射光が図６及び図７に示すＢの、主配光パターンＡの上部に重なるオーバーヘッドサイン配光パターンＢを形成する。
【００５１】
これにより、主配光パターンＡとオーバーヘッドサイン配光パターンＢとの間に暗部が存在せず、夜間走行時の運転者の前方及び前方斜め上方の視認性が高まって運転者が車両前方の障害物を確実に認識することができる（図６参照）。
【００５２】
次に、光源２から放射状に出射して第２リフレクタ２０の前端部から前方に向かって斜め下方に延びる第４リフレクタ３０の第４反射面３１で焦点Ｆ３の後方側に向けて反射された反射光は、第３リフレクタ４０の第３反射面４１でレンズ６０の光入射面６１の中央の面に向けて反射される。
【００５３】
そして、レンズ６０の光入射面６１の中央面に照射された光は、光入射面６１で多少屈折されレンズ６０に入射し、レンズ６０内を光出射面６２の中央面に向けて透過し、中央面から前方斜め上方に向けて出射される。
【００５４】
これにより、従来の配光パターン（図８参照）に対して、図７にあるように、下方に下げられたオーバーヘッドサイン配光パターンＢの元あった領域をカバーするように、オーバーヘッドサイン用配光パターンの更なる上方領域を照射する配光パターン（補助配光パターンＣ）が形成される。
【００５５】
その結果、主配光パターンＡとオーバーヘッドサイン配光パターンＢとの間に暗部が存在せず、且つ、下方に下げられたオーバーヘッドサイン配光パターンの従来の領域を照らすことにより、夜間走行時の運転者の、道路標識や道路案内板等の頭上標識が設けられたオーバーヘッドサイン領域に対する更なる視認性の向上を図ることができる。
【００５６】
以上説明したように、本発明の灯具は、すれ違い配光パターンの形成に寄与する第１リフレクタ１０の第１反射面１１と、オーバーヘッドサイン配光パターンの形成に寄与する第２リフレクタ２０の第２反射面２１及び第３リフレクタ４０の第３反射面４１を備え、焦点Ｆ２を通る光を平行光として前方に出射する形状を有すると共に、第１反射面１１の反射光の一部及び第２反射面２１で反射後に第３反射面４１で反射された反射光を下方に向ける部分（小曲率部６２ａ）の面（小曲率面６２ｂ）を有するレンズ６０を備えている。
【００５７】
これにより、色収差の影響を抑制したすれ違い配光パターンが形成されると共に、すれ違い配光パターンとオーバーヘッドサイン配光パターンが繋がってその間に暗部が生じることがない。
【００５８】
また、レンズ６０内に入射した光を下方に向ける小曲率部６２ａの小曲率面６２ｂをレンズ６０の下端部の光出射面６２に設けている。そのため、レンズ６０の必要最小限の部分的な変形によってすれ違い配光パターンの色収差の抑制とオーバーヘッドサイン配光パターンの下方移動が可能となり、レンズ６０の中央部を透過してすれ違い配光パターンの形成に寄与する光に悪影響を及ぼすことはない。
【００５９】
更に、第２リフレクタ２０の第２反射面２１においては、前方側の面で反射された反射光ほど第３反射面４１の、焦点Ｆ２位置から前方側に遠ざかる位置に到達する。そのため、第２反射面２１の前端側に第４リフレクタ３０の第４反射面３１を、第２反射面２１よりも下方に向かって湾曲する湾曲反射面で構成し、従来第３反射面４１の、焦点Ｆ２から前方側の遠い位置に到達していた光を焦点Ｆ２寄りに向け、第３反射面４１で反射してレンズ６０内を透過し出射した光が前方斜め上方に向かうようにした。
【００６０】
その結果、オーバーヘッドサイン配光パターンを下方移動した後の領域を補助配光パターンによって補足することにより全体として視認性が良好な配光パターンを形成することができる。
【００６１】
なお、レンズ６０の光出射面６２の下端部に小曲率面６２ｂからなる小曲率部６２ａを設ける代わりに、図９（レンズ上端部の光出射面の部分拡大説明図）に示すように、レンズ６０の光出射面６２の上端部に、その下側の光出射面６２の湾曲面の曲率よりも大きい曲率に設定されて後側にせり出した形状の大曲率面６２ｄからなる大曲率部６２ｃを設けてもよい。
【００６２】
この場合、焦点Ｆ３の仮想焦点Ｆ３´を、レンズ６０の光出射面６２の大曲率部６２ｃの大曲率面６２ｄ近傍位置に設定する。これにより、第３リフレクタ４０の第３反射面４１でレンズ６０の上側に向けて反射された反射光がレンズ６０内の上側を透過して大曲率面６２ｄからの出射光の向く方向が下側に下げられる。
【００６３】
また、レンズ６０の光出射面６２の一部の曲率を変えるのではなく、レンズ６０の光入射面６１の一部の曲率を変えてもよい。すなわち、レンズ６０の光入射面６１の下部に小曲率面からなる小曲率部を設け、焦点Ｆ３の仮想焦点Ｆ３´を、前記小曲率部近傍位置に設定する。もしくは、レンズ６０の光入射面６１の上部に大曲率面からなる大曲率部を設け、焦点Ｆ３の仮想焦点Ｆ３´を、前記大曲率部近傍位置に設定する。これにより、当該入射面を通過した光を下方向に向けることができる。
【００６４】
その結果、オーバーヘッドサイン配光パターンの形成領域が下方に下げられて主配光パターンとオーバーヘッドサイン配光パターンの夫々の配光パターンが互いに部分的に重ね繋がって形成される。
【００６５】
なお、図１０の車両用灯具は、上述の実施形態の車両用灯具に対して、第３反射面４１の傾斜角度を変えて焦点Ｆ３の仮想焦点Ｆ３´がレンズ６０の光出射面６２の中央のやや下方に位置するようにして、第３反射面４１で反射した光が仮想焦点Ｆ３´の位置を通過するようにしている。また、仮想焦点Ｆ３´が位置する、レンズ６０の光出射面６２の一部を、焦点Ｆ２を通過した光を平行光とする曲率よりも小さい曲率に形成している。
【００６６】
なお、仮想焦点Ｆ３´がレンズ６０の光出射面６２の中央のやや上方に位置するようにしてもよい。この場合は、仮想焦点Ｆ３´が位置する、レンズ６０の光出射面６２の一部を、焦点Ｆ２を通過した光を平行光とする曲率よりも大きい曲率に形成する。
【００６７】
その結果、レンズ６０の光出射面６２の中央のやや下方を通過する第３反射面４１からの光を下げることができ、オーバーヘッドサイン配光パターンをメイン配光パターンに繋げることができる。
【００６８】
この場合も、上述の実施形態と同様に、レンズ６０の光出射面６２の一部の曲率を変えるのではなく、レンズ６０の光入射面６１の一部の曲率を変えてもよい。これにより、レンズ６０の光入射面６１を通過した光を下方向に向けることができる。
【符号の説明】
【００６９】
１…  車両用灯具
２…  光源
１０…  第１リフレクタ
１１…  第１リフレクタの反射面（第１反射面）
２０…  第２リフレクタ
２１…  第２リフレクタの反射面（第２反射面）
３０…  第４リフレクタ
３１…  第４リフレクタの反射面（第４反射面）
４０…  第３リフレクタ
４１…  第３リフレクタの反射面（第３反射面）
５０…  シェード
６０…  レンズ
６１…  光入射面
６２…  光出射面
６２ａ…  小曲率部
６２ｂ…  小曲率面
６２ｃ…  大曲率部
６２ｄ…  大曲率面
７０…  暗部領域
【図１】
0006659456.tif 000002
【図２】
0006659456.tif 000003
【図３】
0006659456.tif 000004
【図４】
0006659456.tif 000005
【図５】
0006659456.tif 000006
【図６】
0006659456.tif 000007
【図７】
0006659456.tif 000008
【図８】
0006659456.tif 000009
【図９】
0006659456.tif 000010
【図１０】
0006659456.tif 000011
【図１１】
0006659456.tif 000012